(57)【要約】    【課題】  水膜が途切れることなく模様をつけながら流下し、滝つぼに落ちるときも低騒音で飛散しないように構成された人工滝の製造装置を提供することである。    【解決手段】  一方の面が平滑な面構造体（１２）と、面構造体の底部に配置され、面を流下した水を収容する水収容容器（１４）と、面構造体の上縁に配置され、面に水を供給する給水部（１６）とを備え、給水部が、面構造体の上縁と平行になるように上縁の直下の面から所定距離隔てた個所に取り付けられた給水管（２０）と、給水管の下部に面から所定距離隔てた個所に取り付けられた整流板（２２）とを有し、給水管の面に面した側に、複数の水噴出孔（２０ａ）が設けられ、整流板の面に面した側に、水平方向に延びた２本の溝（２２ａ）が設けられ、給水管の両端から供給された水が、水噴出孔から噴射し面に衝突して流下し、その一部が溝に当たって波形模様を呈する水膜を形成するように構成されている。【選択図】  図１
2005254522.tif 000002
【特許請求の範囲】
【請求項１】
人工滝の製造装置であって、
少なくとも一方の面が平滑な矩形の面構造体と、
前記面構造体の底部に配置され、前記面を流下した水を収容する滝つぼとなる水収容容器と、
前記面構造体の上縁に配置され、前記面に水を供給する給水部とを備え、
前記給水部が、前記面構造体の上縁とほぼ平行になるように上縁の直下の前記面から所定距離隔てた個所に取り付けられた給水管と、前記給水管の下部に前記面から所定距離隔てた個所に取り付けられた整流板とを有し、
前記給水管の前記面に面した側に、複数の水噴出孔が設けられ、前記整流板の前記面に面した側に、ほぼ水平方向に延びた２本の溝が設けられており、
前記給水管の両端から供給された水が、前記水噴出孔から噴射し前記面に衝突して流下し、その一部が前記溝に当たって波形模様を呈する水膜を形成するように構成されていることを特徴とする装置。
【請求項２】
前記面構造体が、水平面に対して８０°又はそれ以上の鋭角をなすように設置されていることを特徴とする請求項１に記載の装置。
【請求項３】
前記面構造体の左右の両端に、前記面との間に、流下する水膜を誘因する隙間を形成するコーナ部材が取り付けられていることを特徴とする請求項１又は２に記載の装置。
【請求項４】
前記水噴出孔の間隔が、ほぼ等距離であることを特徴とする請求項１から請求項３までのいずれか１項に記載の装置。
【請求項５】
前記水噴出孔の間隔が、前記給水管の端部から中央に向かうに従って徐々に狭くなるように選定され、或いは、前記水噴出孔の径が、前記給水管の端部から中央に向かうに従って徐々に大きくなるように選定されていることを特徴とする請求項１から請求項３までのいずれか１項に記載の装置。
【発明の詳細な説明】
【技術分野】
【０００１】
本発明は、人工滝の製造装置に関する。
【背景技術】
【０００２】
自然の滝を模した人工的な施設を作り、ホテルのロビー等に設置して人々の鑑賞に供する人工滝の製造装置が知られている。従来の人工滝の製造装置としては、例えば、壁面への滝噴流の付着性などを利用して、滝噴流に動的な変化を与えることができる設備がある（特許文献１参照）。
【０００３】
【特許文献１】特開平６−２０７４０９号公報
【発明の開示】
【発明が解決しようとする課題】
【０００４】
人工滝は、薄い水膜がガラス面を途切れることなく模様をつけながら流下し、滝つぼに落下するときも大きな音をたてずに、しかも飛散しないようにするのが理想的である。しかしながら、上述の特許文献１に記載された設備では、滝にガイド材が設けられていないため、微風でも水膜があおられ、揺らぎを生ずるという課題がある。また、途切れることなく流下し、低騒音で飛散しない人工滝は、見当たらないのが現状である。
【０００５】
したがって、本発明は、水膜が途切れることなく模様をつけながら流下し、滝つぼに落ちるときも低騒音で飛散しないように構成された人工滝の製造装置を提供することを目的とする。
【課題を解決するための手段】
【０００６】
本願請求項１に記載の人工滝の製造装置は、少なくとも一方の面が平滑な矩形の面構造体と、前記面構造体の底部に配置され、前記面を流下した水を収容する滝つぼとなる水収容容器と、前記面構造体の上縁に配置され、前記面に水を供給する給水部とを備え、前記給水部が、前記面構造体の上縁とほぼ平行になるように上縁の直下の前記面から所定距離隔てた個所に取り付けられた給水管と、前記給水管の下部に前記面から所定距離隔てた個所に取り付けられた整流板とを有し、前記給水管の前記面に面した側に、複数の水噴出孔が設けられ、前記整流板の前記面に面した側に、ほぼ水平方向に延びた２本の溝が設けられており、前記給水管の両端から供給された水が、前記水噴出孔から噴射し前記面に衝突して流下し、その一部が前記溝に当たって波形模様を呈する水膜を形成するように構成されていることを特徴とするものである。
【０００７】
本願請求項２に記載の人工滝の製造装置は、前記請求項１の装置において、前記面構造体が、水平面に対して８０°又はそれ以上の鋭角をなすように設置されていることを特徴とするものである。
【０００８】
本願請求項３に記載の人工滝の製造装置は、前記請求項１又は２の装置において、前記面構造体の左右の両端に、前記面との間に、流下する水膜を誘因する隙間を形成するコーナ部材が取り付けられていることを特徴とするものである。
【０００９】
本願請求項４に記載の人工滝の製造装置は、前記請求項１から請求項３のいずれか１項の装置において、前記水噴出孔の間隔が、ほぼ等距離であることを特徴とするものである。
【００１０】
本願請求項５に記載の人工滝の製造装置は、前記請求項１から請求項３のいずれか１項の装置において、前記水噴出孔の間隔が、前記給水管の端部から中央に向かうに従って徐々に狭くなるように選定され、或いは、前記水噴出孔の径が、前記給水管の端部から中央に向かうに従って徐々に大きくなるように選定されていることを特徴とするものである。
【発明の効果】
【００１１】
本発明によれば、水膜の厚みが均一で薄く、波形模様を呈して水が流下する人工滝の製造装置が得られる。また、本発明の装置では、コーナ部材を取り付けることにより、水膜が面構造体の最下部まで途切れることがない。また、本発明の装置では、面構造体を傾斜させて水の流下速度を遅くし、かつ、水膜の厚みが薄いので、流下する水の飛散を防止し、また、水収容容器水面への着水音を静かにすることができる。さらに、本発明の装置は、構造が簡単であるので、製造コストが廉価であり、メンテナンスも容易である。
【発明を実施するための最良の形態】
【００１２】
次に、図面を参照して、本発明の好ましい実施の形態について詳細に説明する。図１（ａ）は、本発明の好ましい実施の形態に係る人工滝の製造装置を概略的に示した斜視図、図１（ｂ）は、図１（ａ）の人工滝の製造装置の側面図である。図１（ａ）及び図１（ｂ）において全体として参照符号１０で示される本発明の好ましい実施の形態に係る人工滝の製造装置は、少なくとも一方の面１２ａが平滑な矩形の面構造体１２を備えている。面構造体１２は好ましくは、ガラス又はアクリル樹脂材料で形成される。面構造体１２は好ましくは、水平線に対して鋭角αをなすように設置されている。鋭角αは好ましくは、８０°又はそれ以上の角度である。面構造体１２を傾斜させて設置することにより、面１２ａを流下する水の速度を遅くすることができ、これにより流下する水が周囲に飛散することを回避することができる。
【００１３】
人工滝の製造装置１０は又、面構造体１２の底部に配置され、面構造体１２の面１２ａを流下した水を収容する滝つぼとなる水収容容器１４を備えている。
【００１４】
人工滝の製造装置１０は更に、面構造体１２の上縁に配置され、水を供給する給水部１６を備えている。給水部１６は、図２に最も良く示されるように、面構造体１２の上縁とほぼ平行になるように上縁の直下の面１２ａから所定距離ｄ1 隔てた個所に、ネジ付きブラケット１８で取り付けられた給水管２０と、給水管２０の下部に面１２ａから所定距離ｄ2 隔てた個所に取り付けられた整流板２２とを有している。距離ｄ1 は、ネジ付きブラケット１８のネジ１８ａにより、所望のように調整することができるようになっている。なお、距離ｄ1 、ｄ2 は、好ましくは約２ｍｍ〜約４ｍｍであり、最も好ましくは約３ｍｍである。
【００１５】
給水管２０の面１２ａに面した側には、ほぼ等距離間隔隔てて複数の水噴出孔２０ａが設けられている。なお、給水管２０は、塩化ビニル管で形成するのが好ましいが、他の材料で形成してもよい。
【００１６】
整流板２２の裏面（面構造体１２に面する側の面）には、ほぼ水平方向に延びた２本の溝２２ａが設けられている。整流板２２の溝２２ａは、流下する水が模様を呈するようにするのに役立つ。すなわち、水噴出孔２０ａから噴射した水は、面構造体１２の面１２ａに衝突した後、乱流となって流下するが、流下する水の一部が溝２２ａに当たることにより、図４（ａ）に示されるように、波形の模様が形成される。なお、綺麗な波形模様を形成するには、２本の溝２２ａの間隔を５ｍｍ程度にするのが好ましい。
【００１７】
面構造体１２の左右の両端には、図５（ａ）に示されるように、コーナ部材２４を取り付けるのが好ましい。コーナ部材２４には、面構造体１２の厚さｗよりも僅かに幅広の凹部２４ａが設けられており、面１２ａとの間に所定の隙間ｄ3 が生ずるように（図５（ｂ）参照）、面構造体１２の両端にコーナ部材２４の凹部２４ａを嵌め込み、シリコン等の接着剤で固定する。隙間ｄ3 は好ましくは、約２ｍｍ〜約５ｍｍであり、最も好ましくは約３ｍｍである。
【００１８】
コーナ部材２４は、面構造体１２の両端付近において流下する水が途切れないようにするのに役立つ。すなわち、後述するように、給水管２０の両端から水が供給されるので、面構造体１２の両端付近では、流下する水が途切れる可能性があるが、コーナ部材２４を設けることにより、両端付近の水をコーナ部材２４と面１２ａとの隙間に誘因し（図５（ｃ）参照）、水膜が途切れないようにしたものである。
【００１９】
以上のように構成された人工滝の製造装置１０の使用について説明する。まず、人工滝の製造装置１０を設置し、給水管２０の両端から水を供給する。給水管２０に供給された水は、水噴出孔２０ａから噴射されて、面構造体１２の面１２ａに衝突した後、乱流となって流下するが、流下する水の一部が整流板２２の溝２２ａに当たることにより、水膜が波形模様になる。流下した水は、水収容容器１４に収容される。なお、面構造体１２の両端にコーナ部材２４を取り付けると、面構造体１２の両端付近に形成される水膜が途切れないようにすることができる。
【００２０】
図６は、人工滝の製造装置１０の設置の一例を示した概略図である。図６に示される例では、１階フロアに水収容容器１４が設置され、面構造体１２が２階フロアから１階フロアの水収容容器１４まで延びている。そして、水収容容器１４から延びて給水部１６に至る給水ラインが設置され、給水ラインには、循環用のポンプ、濾過槽、及び、水量調整用のバルブが配置されている。この設置例では、使用に際して、水収容容器１４に収容された水をポンプによって給水部１６まで圧送するので、装置１０で用いる水を補充する必要がない。また、給水部１６からの給水量が少なすぎると水の表面張力により水膜が途切れてしまい、給水量が多すぎると流速が速い個所に水が誘因されるので、水量調整用のバルブを用いて、適当な水量に調整するのがよい。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えば、前記実施の形態においては給水管２０に設けられる水噴出孔２０ａがほぼ等距離間隔隔てられている。しかしながら、この構成では、給水管２０の端部から中央に向かうに従って（各水噴出孔２０ａから水が徐々に噴出するため）水流が次第に遅くなってしまう。したがって、各水噴出孔２０ａから噴出する水をほぼ同程度にものにするために、各水噴出孔２０ａの間隔を給水管２０の端部から中央に向かうに従って徐々に狭くなるようにしてもよく、或いは、各水噴出孔２０ａの径を給水管２０の端部から中央に向かうに従って徐々に大きくなるようにしてもよい。
【図面の簡単な説明】
【００２３】
【図１】図１（ａ）は、本発明の好ましい実施の形態に係る人工滝の製造装置を概略的に示した斜視図、図１（ｂ）は、図１（ａ）の人工滝の製造装置の側面図である。
【図２】図１（ａ）の線２−２に沿った拡大断面図である。
【図３】整流板の溝を示した概略斜視図である。
【図４】図４（ａ）は、水が面を流下している状態を示した図１（ａ）と同様の図、図４（ｂ）は、図４（ａ）の側面図である。
【図５】コーナ部材を示した図であって、図５（ａ）は、コーナ部材が取り付けられた面構造体の断面図、図５（ｂ）は、図５（ａ）の部分５ｂの拡大図、図５（ｃ）は、水膜がコーナ部材と面構造体との隙間に誘因されている状態を示した図である。
【図６】本発明の人工滝の製造装置の設置の一例を示した概略図である。
【符号の説明】
【００２４】
１０  人工滝の製造装置
１２  面構造体
１４  水収容容器
１６  給水部
１８  ネジ付きブラケット
１８ａ  ネジ
２０  給水管
２０ａ  水噴出孔
２２  整流板
２２ａ  溝
２４  コーナ部材
【図１】
2005254522.tif 000003
【図２】
2005254522.tif 000004
【図３】
2005254522.tif 000005
【図４】
2005254522.tif 000006
【図５】
2005254522.tif 000007
【図６】
2005254522.tif 000008